【手続補正書】
【提出日】平成18年5月29日(2006.5.29)
【手続補正１】
【補正対象書類名】明細書
【補正対象項目名】特許請求の範囲
【補正方法】変更
【補正の内容】
【特許請求の範囲】
【請求項１】  光ディスクに記録されたデータを光学的に読みとるための光ピックアップを構成するレンズと該レンズを保持するレンズホルダとを位置決め固定する光ピックアップのレンズ固定方法において、
前記レンズには、位置決マークが表示されたフランジ部が形成され、
前記レンズホルダには、前記レンズを固定するレンズ固定部と、該レンズ固定部の外周部に前記位置決マークの位置決め基準となる位置決部が形成されており、
前記レンズ固定部に仮置きされたレンズを該レンズ固定部から離脱させると共に、該レンズを回転させて前記位置決マークを前記位置決部に合わせ、該レンズを該固定部に再度挿入後に接着固定することを特徴とする光ピックアップのレンズ固定方法。
【請求項２】  光ディスクに記録されたデータを光学的に読みとるための光ピックアップに構成されるレンズと該レンズを保持するレンズホルダとを位置決め固定する光ピックアップのレンズ接着装置において、
水平面のＹ軸方向へ移動するＹ軸移動手段と、
前記Ｙ軸移動手段上に設けられ水平面でＹ軸方向と直交するＸ軸方向へ移動するＸ軸方向移動手段と、
前記Ｘ軸方向移動手段とＹ軸移動手段との上方に設けられ垂直方向に移動するＺ軸方向移動手段と、
前記Ｙ軸移動手段上に設けられ、前記レンズホルダを位置決めする位置決板と、上端部に前記レンズを保持するレンズ受部が設けられたレンズ保持軸と、前記レンズ保持軸に係合し該レンズ保持軸を上下方向へ移動させる上下方向移動手段と、前記レンズ保持軸に係合し該レンズ保持軸を回転させる回転手段とを含むレンズ位置合わせ治具を備えることを特徴とする光ピックアップのレンズ接着装置。
【手続補正２】
【補正対象書類名】明細書
【補正対象項目名】００１１
【補正方法】変更
【補正の内容】
【００１１】
また、光ディスクに記録されたデータを光学的に読みとるための光ピックアップに構成されるレンズと該レンズを保持するレンズホルダとを位置決め固定する光ピックアップのレンズ接着装置において、水平面のＹ軸方向へ移動するＹ軸移動手段と、前記Ｙ軸移動手段上に設けられ水平面でＹ軸方向と直交するＸ軸方向へ移動するＸ軸方向移動手段と、前記Ｘ軸方向移動手段とＹ軸移動手段との上方に設けられ垂直方向に移動するＺ軸方向移動手段と、前記Ｙ軸移動手段上に設けられ、前記レンズホルダを位置決めする位置決板と、上端部に前記レンズを保持するレンズ受部が設けられたレンズ保持軸と、前記レンズ保持軸に係合し該レンズ保持軸を上下方向へ移動させる上下方向移動手段と、前記レンズ保持軸に係合し該レンズ保持軸を回転させる回転手段とを含むレンズ位置合わせ治具を備えることを特徴とするものである。また、前記光ピックアップのレンズ装着装置において、カメラと該カメラで撮映した画像を処理する画像処理部とを含み前記レンズの位置決マークの位置を検出する位置決マーク検出部と、前記Ｚ軸方向移動手段に設けられ、位置決めされた前記レンズとレンズホルダの所定の位置に接着剤を塗布する接着剤塗布ユニットと、前記接着剤塗布ユニットにより塗布された接着剤を固化させる固化手段と、前記各Ｘ、Ｙ、Ｚ軸移動手段、レンズ位置合わせ治具、前記位置決マーク検出部、前記接着剤塗布ユニットと固化手段との動作制御をする制御手段との少なくともいずれか１つを備えることを特徴とするものである。
【手続補正３】
【補正対象書類名】明細書
【補正対象項目名】００１２
【補正方法】変更
【補正の内容】
【００１２】
また、前記回転手段は、筒形状をなし前記レンズ保持軸の外周に設けられ、該レンズ保持軸に係止する係止部と筒の外周の一部にウォーム歯車が形成された回転パイプと、該ウォーム歯車に歯合するウォームと、該ウォーム軸に接続し該ウォームを回転させるパルスモータからなるウォーム機構となるように構成してもよい。
【手続補正４】
【補正対象書類名】明細書
【補正対象項目名】００１３
【補正方法】変更
【補正の内容】
【００１３】
また、前記レンズ保持軸は中空となっており該レンズ保持軸の下端部より吸引し、前記レンズ受部に載置された前記レンズが吸着固定される構成としてもよい。
【手続補正５】
【補正対象書類名】明細書
【補正対象項目名】００１４
【補正方法】変更
【補正の内容】
【００１４】
また、前記レンズ受部には、ゴム部材が用いられ前記レンズの球面に略近い球面に形成される構成としてもよい。
【手続補正６】
【補正対象書類名】明細書
【補正対象項目名】００１５
【補正方法】変更
【補正の内容】
【００１５】
また、前記レンズ保持軸の上端部には、前記レンズ受部の下部に接続し該レンズ受部を上下方向へ移動させるエアシリンダが設けられる構成としてもよい。
【手続補正７】
【補正対象書類名】明細書
【補正対象項目名】００１６
【補正方法】変更
【補正の内容】
【００１６】
また、前記制御部は、前記位置決マーク検出部により検出された前記位置決マークの位置に応じて、前記レンズを前記レンズホルダに仮置き状態で前記位置決マークと前記位置決部までの回転角度を算出し、該回転角度に見合う回転を前記回転手段に与える構成としてもよい。
【手続補正８】
【補正対象書類名】明細書
【補正対象項目名】００１７
【補正方法】変更
【補正の内容】
【００１７】
また、前記制御部は、前記レンズホルダに前記レンズを仮置きした後前記回転手段を回転させ、該レンズの位置決マークが該レンズホルダの位置決部に一致した時に該回転手段を停止させる構成としてもよい。
【手続補正９】
【補正対象書類名】明細書
【補正対象項目名】００１８
【補正方法】変更
【補正の内容】
【００１８】
また、前記位置決マークは周囲と高さが異なっており、前記位置決マークの検出部には、レーザ光を用いた高さ検出器が用いられる構成としてもよい。
【手続補正１０】
【補正対象書類名】明細書
【補正対象項目名】００１９
【補正方法】変更
【補正の内容】
【００１９】
また、前記接着剤は紫外線硬化部材であって、前記固化手段は、前記接着剤塗布ユニットと同じ配設部に固定された紫外線照射ユニットとなる構成としてもよい。
【手続補正１１】
【補正対象書類名】明細書
【補正対象項目名】００２０
【補正方法】変更
【補正の内容】
【００２０】
また、塗布された接着剤に前記紫外線照射ユニットにより紫外線が照射された後に、前記レンズと前記レンズホルダとの接着剤塗布部が前記位置決マーク検出部の検出位置に移動され、接着の良否確認が行われる構成としてもよい。
【手続補正１２】
【補正対象書類名】明細書
【補正対象項目名】００２１
【補正方法】変更
【補正の内容】
【００２１】
また、前記レンズは、樹脂部材により形成され前記レンズホルダと超音波溶着または熱溶着により接着固定される構成としてもよい。
【手続補正１３】
【補正対象書類名】明細書
【補正対象項目名】００２２
【補正方法】変更
【補正の内容】
【００２２】
また、前記制御部は、前記Ｙ軸移動手段上に設けられた前記レンズ位置合わせ治具を、前記位置決マーク検出部、前記接着剤塗布ユニット、前記固化手段の配設位置順に移動し、前記レンズと前記レンズホルダとの接着を行う構成としてもよい。
【手続補正１４】
【補正対象書類名】明細書
【補正対象項目名】００２３
【補正方法】変更
【補正の内容】
【００２３】
また、前記制御部は、前記Ｙ軸移動手段上に設けられた、前記位置決マーク検出部、前記接着剤塗布ユニットと前記固化手段を、前記レンズ位置合わせ治具が固定された位置へ配設順に移動し、前記レンズと前記レンズホルダとの接着を行う構成としてもよい。
【手続補正１５】
【補正対象書類名】明細書
【補正対象項目名】００２４
【補正方法】変更
【補正の内容】
【００２４】
また、光ディスクに記録されたデータを光学的に読みとるための光ピックアップを構成するレンズと該レンズを保持するレンズホルダとを位置決め固定する光ピックアップのレンズ接着装置において、前記レンズと前記レンズホルダとの接着部に当接する当接部と該当接部の反対側に小径の段部が形成されたチェッカーピンと、一方の端部外周部に形成されたねじ部と前記チェッカーピンが摺動自在に係合する孔とが形成されたスリーブと、前記段部に係止する挿入孔と前記ねじ部に螺合する螺合部が形成され該チェッカーピンを該当接部方向へ付勢する引張ばねとからなるチェッカーピンユニットと、前記スリーブを嵌入する取付孔が形成された取付板と、前記チェッカーピンの上方に設けられ該チェッカーピンの頭部の移動量の変化を検知するセンサと、前記取付板を上下方向へ移動させる上下移動手段とからなり、前記取付板を下降させ前記接着部に当接した前記チェッカーピンの頭部の移動量により該接着部の良否判定を行う判定手段とを有する構成としてもよい。
【手続補正１６】
【補正対象書類名】明細書
【補正対象項目名】００２５
【補正方法】変更
【補正の内容】
【００２５】
また、前記センサに、発光部と受光部とからなり、該発光部と該受光部間の光路の前記チェッカーピンによる遮断状態で該チェッカーピンの頭部の移動量の変化を検知する光センサが用いられる構成としてもよい。
【手続補正１７】
【補正対象書類名】明細書
【補正対象項目名】００２６
【補正方法】変更
【補正の内容】
【００２６】
また、前記センサに、前記チェッカーピンの移動により変化する磁界により該チェッカーピンの頭部の移動量の変化を検知する磁気センサが用いられる構成としてもよい。